(57)【特許請求の範囲】
【請求項１】
人体検出部と、第１信号処理部と、音声メッセージ出力部と、マイクと、第１送信回路と、信号分岐回路と、アンテナと、第１受信回路と、第１スピーカとを備え、中空円錐状の三角ポールに内蔵された１または複数の子機と、
マイクと、第２送信回路と、信号分岐回路と、アンテナと、第２受信回路と、第２信号処理部と、第２スピーカと、発報回路と、ランプと、ブザーと、を備える親機と、
から成る音声警告装置であって、
子機の信号分岐回路は、アンテナ、第１受信回路および第１送信回路に接続され、第１送信回路が送信する人体検出信号または音声信号をアンテナ側へ送信し、また、アンテナから送信される音声信号を第１受信回路へ送信する弁別機能を備え、かつ
親機の信号分岐回路は、アンテナ、第２受信回路および第２送信回路に接続され、第２送信回路が送信する音声信号をアンテナ側へ送信し、また、アンテナから送信される人体検出信号または音声信号を第２受信回路へ送信する弁別機能を備えることにより、
子機の一定範囲内に接近してきた通行人を検出した人体検出部が人体検出信号を出力し、第１信号処理部を介して人体検出信号を入力した音声メッセージ出力部が第１スピーカから音声メッセージを出力させる、子機単体による音声警告機能、
子機の一定範囲内に接近してきた通行人を検出した人体検出部が人体検出信号を出力し、第１信号処理部を介して人体検出信号を入力した第１送信回路が信号分岐回路およびアンテナを介して親機へ送信し、親機のアンテナおよび信号分岐回路を介して人体検出信号を第２受信回路が受信して第２信号処理部を介して発報回路へ送信し、発報回路がランプおよびブザーを駆動して発報する、子機から親機への発報機能、
子機のマイクが音声信号を出力し、音声信号を入力した第１送信回路が信号分岐回路およびアンテナを介して親機へ送信し、親機のアンテナおよび信号分岐回路を介して音声信号を第２受信回路が受信して第２信号処理部を介して第２スピーカへ送信し、第２スピーカが音声を出力する、子機から親機への通信機能、
親機のマイクが音声信号を出力し、音声信号を入力した第２送信回路が信号分岐回路およびアンテナを介して子機へ送信し、子機のアンテナを介して入力した音声信号を信号分岐回路を介して第１受信回路が受信して第１スピーカへ送信し、第１スピーカが音声を出力する、親機から子機への通信機能、
を果たすことを特徴とする音声警告装置。
【請求項２】
人体検出部と、第１信号処理部と、マイクと、第１送信回路と、信号分岐回路と、アンテナと、第１受信回路と、第１スピーカとを備え、中空円錐状の三角ポールに内蔵された１または複数の子機と、
マイクと、音声メッセージ出力部と、第２送信回路と、信号分岐回路と、アンテナと、第２受信回路と、第２信号処理部と、第２スピーカと、発報回路と、ランプと、ブザーと、を備えた親機と、
から成る音声警告装置であって、
子機の信号分岐回路は、アンテナ、第１受信回路および第１送信回路に接続され、第１送信回路が送信する人体検出信号または音声信号をアンテナ側へ送信し、また、アンテナから送信される音声信号を第１受信回路へ送信する弁別機能を備え、かつ
親機の信号分岐回路は、アンテナ、第２受信回路および第２送信回路に接続され、第２送信回路が送信する音声信号をアンテナ側へ送信し、また、アンテナから送信される人体検出信号または音声信号を第２受信回路へ送信する弁別機能を備えることにより、
子機の一定範囲内に接近してきた通行人を検出した人体検出部が人体検出信号を出力し、第１信号処理部を介して人体検出信号を入力した第１送信回路が信号分岐回路およびアンテナを介して親機へ送信し、親機のアンテナおよび信号分岐回路を介して人体検出信号を第２受信回路が受信して音声メッセージ出力部へ送信し、音声メッセージ出力部が出力した音声信号を第２送信回路が信号分岐回路およびアンテナを介して子機へ送信し、子機のアンテナおよび信号分岐回路を介して入力した音声信号を第１受信回路が受信して第１スピーカへ送信し、第１スピーカが音声を出力する音声警告機能、
子機の一定範囲内に接近してきた通行人を検出した人体検出部が人体検出信号を出力し、第１信号処理部を介して人体検出信号を入力した第１送信回路が信号分岐回路およびアンテナを介して親機へ送信し、親機のアンテナおよび信号分岐回路を介して人体検出信号を第２受信回路が受信して第２信号処理部を介して発報回路へ送信し、発報回路がランプおよびブザーを駆動して発報する、子機から親機への発報機能、
子機のマイクが音声信号を出力し、音声信号を入力した第１送信回路が信号分岐回路およびアンテナを介して親機へ送信し、親機のアンテナおよび信号分岐回路を介して音声信号を第２受信回路が受信して第２信号処理部を介して第２スピーカへ送信し、第２スピーカが音声を出力する、子機から親機への通信機能、
親機のマイクが音声信号を出力し、音声信号を第２送信回路が信号分岐回路およびアンテナを介して子機へ送信し、子機のアンテナを介して入力した音声信号を信号分岐回路を介して第１受信回路が受信して第１スピーカへ送信し、第１スピーカが音声を出力する、親機から子機への通信機能、
を果たすことを特徴とする音声警告装置。
【請求項３】
請求項１または２記載の音声警告装置において、
音声メッセージ出力部に接続され、予め記憶された複数種類の音声メッセージの中から何れかを選択するメッセージ選択部を備え、このメッセージ選択部により選択された音声メッセージを音声メッセージ出力部が音声信号として出力することを特徴とする音声警告装置。
【請求項４】
請求項３記載の音声警告装置において、
前記メッセージ選択部は、交換可能な記憶媒体に記憶された特定の音声メッセージを記憶したものであり、音声メッセージ出力部を介して出力させることを特徴とする音声警告装置。
【発明の詳細な説明】
【０００１】
【発明の属する技術分野】
本発明は、各種の工事現場等において通行人に対し自動的に警告等の音声メッセージを発し、また、親機と子機との間での通信を可能にした音声警告装置に関する。
【０００２】
【従来の技術】
道路、電気、ガス、上下水道、電話等の各種工事現場において、通行人に対し通行時の危険や注意を伝える従来の方法としては、現場作業員や警備員による通報や誘導、各種表示灯やポスターによる表示等や通行人等を検知して自動的に音声メッセ−ジを発する装置がある。
【０００３】
【発明が解決しようとする課題】
しかるに、専任の現場作業員や警備員をおく場合には人件費がかさみ、また、夜間や酷暑・厳寒時、悪天候時には身体的・精神的負担が大きく、現場の状況によっては危険を伴うという問題がある。
更に、各種表示灯やポスター等を用いて視覚的に訴える方法をとっても見過ごされる場合が多く、通行時の危険や注意を通行人に周知徹底させるには未だ不十分である。
また、現存する各種表示灯は概して構造が複雑かつ大形であり、突起物等も多いため運搬や保管に不便である。
加えて、現場と現場事務所等との間で音声によるコミュニケーションが必要な場合、従来ではトランシーバ等を利用しているが、音声警告機能及び通信機能を兼ね備えた装置はなく、その実現が望まれている。
【０００４】
本発明は上記問題点を解決するためになされたもので、その目的とするところは、通行人に対し通行時の危険や注意を確実に伝達して通行人の安全及び便宜を確保すると共に、構成が簡単で運搬や保管が容易であり、しかも、親機・子機間の通信機能を具備して、安価に提供可能な音声警告装置を提供することにある。
【０００５】
【課題を解決するための手段】
上記目的を達成するため、請求項１に記載した発明は、
人体検出部と、第１信号処理部と、音声メッセージ出力部と、マイクと、第１送信回路と、信号分岐回路と、アンテナと、第１受信回路と、第１スピーカとを備え、中空円錐状の三角ポールに内蔵された１または複数の子機と、
マイクと、第２送信回路と、信号分岐回路と、アンテナと、第２受信回路と、第２信号処理部と、第２スピーカと、発報回路と、ランプと、ブザーと、を備える親機と、
から成る音声警告装置であって、
子機の信号分岐回路は、アンテナ、第１受信回路および第１送信回路に接続され、第１送信回路が送信する人体検出信号または音声信号をアンテナ側へ送信し、また、アンテナから送信される音声信号を第１受信回路へ送信する弁別機能を備え、かつ
親機の信号分岐回路は、アンテナ、第２受信回路および第２送信回路に接続され、第２送信回路が送信する音声信号をアンテナ側へ送信し、また、アンテナから送信される人体検出信号または音声信号を第２受信回路へ送信する弁別機能を備えることにより、
子機の一定範囲内に接近してきた通行人を検出した人体検出部が人体検出信号を出力し、第１信号処理部を介して人体検出信号を入力した音声メッセージ出力部が第１スピーカから音声メッセージを出力させる、子機単体による音声警告機能、
子機の一定範囲内に接近してきた通行人を検出した人体検出部が人体検出信号を出力し、第１信号処理部を介して人体検出信号を入力した第１送信回路が信号分岐回路およびアンテナを介して親機へ送信し、親機のアンテナおよび信号分岐回路を介して人体検出信号を第２受信回路が受信して第２信号処理部を介して発報回路へ送信し、発報回路がランプおよびブザーを駆動して発報する、子機から親機への発報機能、
子機のマイクが音声信号を出力し、音声信号を入力した第１送信回路が信号分岐回路およびアンテナを介して親機へ送信し、親機のアンテナおよび信号分岐回路を介して音声信号を第２受信回路が受信して第２信号処理部を介して第２スピーカへ送信し、第２スピーカが音声を出力する、子機から親機への通信機能、
親機のマイクが音声信号を出力し、音声信号を入力した第２送信回路が信号分岐回路およびアンテナを介して子機へ送信し、子機のアンテナを介して入力した音声信号を信号分岐回路を介して第１受信回路が受信して第１スピーカへ送信し、第１スピーカが音声を出力する、親機から子機への通信機能、
を果たすことを特徴とする。
【０００６】
請求項２に記載した発明は、
人体検出部と、第１信号処理部と、マイクと、第１送信回路と、信号分岐回路と、アンテナと、第１受信回路と、第１スピーカとを備え、中空円錐状の三角ポールに内蔵された１または複数の子機と、
マイクと、音声メッセージ出力部と、第２送信回路と、信号分岐回路と、アンテナと、第２受信回路と、第２信号処理部と、第２スピーカと、発報回路と、ランプと、ブザーと、を備えた親機と、
から成る音声警告装置であって、
子機の信号分岐回路は、アンテナ、第１受信回路および第１送信回路に接続され、第１送信回路が送信する人体検出信号または音声信号をアンテナ側へ送信し、また、アンテナから送信される音声信号を第１受信回路へ送信する弁別機能を備え、かつ
親機の信号分岐回路は、アンテナ、第２受信回路および第２送信回路に接続され、第２送信回路が送信する音声信号をアンテナ側へ送信し、また、アンテナから送信される人体検出信号または音声信号を第２受信回路へ送信する弁別機能を備えることにより、
子機の一定範囲内に接近してきた通行人を検出した人体検出部が人体検出信号を出力し、第１信号処理部を介して人体検出信号を入力した第１送信回路が信号分岐回路およびアンテナを介して親機へ送信し、親機のアンテナおよび信号分岐回路を介して人体検出信号を第２受信回路が受信して音声メッセージ出力部へ送信し、音声メッセージ出力部が出力した音声信号を第２送信回路が信号分岐回路およびアンテナを介して子機へ送信し、子機のアンテナおよび信号分岐回路を介して入力した音声信号を第１受信回路が受信して第１スピーカへ送信し、第１スピーカが音声を出力する音声警告機能、
子機の一定範囲内に接近してきた通行人を検出した人体検出部が人体検出信号を出力し、第１信号処理部を介して人体検出信号を入力した第１送信回路が信号分岐回路およびアンテナを介して親機へ送信し、親機のアンテナおよび信号分岐回路を介して人体検出信号を第２受信回路が受信して第２信号処理部を介して発報回路へ送信し、発報回路がランプおよびブザーを駆動して発報する、子機から親機への発報機能、
子機のマイクが音声信号を出力し、音声信号を入力した第１送信回路が信号分岐回路およびアンテナを介して親機へ送信し、親機のアンテナおよび信号分岐回路を介して音声信号を第２受信回路が受信して第２信号処理部を介して第２スピーカへ送信し、第２スピーカが音声を出力する、子機から親機への通信機能、
親機のマイクが音声信号を出力し、音声信号を第２送信回路が信号分岐回路およびアンテナを介して子機へ送信し、子機のアンテナを介して入力した音声信号を信号分岐回路を介して第１受信回路が受信して第１スピーカへ送信し、第１スピーカが音声を出力する、親機から子機への通信機能、
を果たすことを特徴とする。
【０００７】
請求項３に記載した発明は、請求項１または２記載の音声警告装置において、
音声メッセージ出力部に接続され、予め記憶された複数種類の音声メッセージの中から何れかを選択するメッセージ選択部を備え、このメッセージ選択部により選択された音声メッセージを音声メッセージ出力部を介して出力させることを特徴とする。
【０００８】
請求項４に記載した発明は、請求項３記載の音声警告装置において、
前記メッセージ選択部は、交換可能な記憶媒体に記憶された特定の音声メッセージを記憶したものであり、音声メッセージ出力部を介して出力させることを特徴とする。
【００１０】
【発明の実施の形態】
以下、図に沿って本発明の実施形態を説明する。
図１は、本発明の実施形態の構成を示すブロック図である。図１において、上部のブロック図は子機Ｂを表し、下部のブロック図は親機Ａを表している。以下、このブロック図によってこの実施形態の構成を説明する。本実施形態の音声警告装置は、１台の親機Ａと、これと送受信可能な複数の子機Ｂとから構成されている。本実施形態の音声警告装置を工事現場等に設置する場合には親機Ａは現場から離れた位置にある事務所等に設置され、子機Ｂの置かれた複数の現場との間で通信を行えるようになっている。
【００１１】
本実施形態の音声警告装置の子機Ｂは、例えば工事現場等に置かれる中空円錐状の三角ポール（いわゆるカラーコーン）の内部に各種部品を取り付けて構成される。
【００１２】
子機Ｂにおいて、１は赤外線センサ、超音波センサ等を利用した人体検出部であり、この音声警告装置の子機Ｂから一定範囲内に通行人が接近してきたことを検出するためのものである。
人体検出部１に接続された第１信号処理部２は、人体検出部１から出力される人体検出信号１ａ（矢印は信号の流れる向きを示す。以下同様。）を入力して次段の回路（後述の音声メッセージ出力部３及び第１送信回路７）に人体検出信号２ａ、２ｂを送出するべく動作する。
【００１３】
第１信号処理部２の出力側には、音声メッセージ出力部３が接続されている。この音声メッセージ出力部３は、第１信号処理部２からの人体検出信号２ａを受けて第１スピーカ４を駆動し、通行人に対する警告や注意等の音声メッセージを発するためのものである。具体的には、テープレコーダやＩＣ音源等が考えられる。
【００１４】
５はメッセージ選択部であり、予め記憶された複数の音声メッセージの中から希望するものをスイッチ操作等により選択できるようになっている。
このメッセージ選択部５は、ＲＯＭカード等の交換可能な記憶媒体に特定の音声メッセージを記憶させておき、この記憶媒体を装着することで音声メッセージ出力部３側から音声メッセージを読み出すように構成しても良い。
音声メッセージの一例としては、“工事中につき、大変ご迷惑をおかけ致します。どうぞ、お気をつけてお通り下さい。”等があり、その他、１日の工事時間、工事期間、工事内容、連絡先、迂回路の説明、注意の喚起等を行なう。
【００１５】
第１信号処理部２から出力された他方の人体検出信号２ｂは、スイッチ９を介し第１送信回路７で増幅されたり変調され、信号分岐回路８を経由してアンテナ１１から親機Ａに送信される。
【００１６】
一方、マイク６は、本装置から一定の距離と範囲内で外部の音を拾って音声信号６ａを次段に送る。第１送信回路７は、マイク６からの音声信号６ａを増幅したり変調を行なう回路で、この回路からの音声出力が信号分岐回路８に送られる。
信号分岐回路８に入った音声信号６ａはアンテナ１１から送信され、親機Ａのアンテナ２０で受信される。
【００１７】
なお、第１送信回路７と音声メッセ−ジ出力部３との間のスイッチ９は、人体検出信号２ｂを親機側に送信市内場合や、マイク６からの音声信号６ａによって装置外部に出されるスピ−カ４からのメッセ−ジ音を省略したい場合にＯＦＦとするためのものである。同様に、マイク６と第１送信回路７との間のスイッチ１０は、マイク６が拾った音を親機Ａで聞く必要がない場合にＯＦＦとするためのものである。
【００１８】
信号分岐回路８は、第１送信回路７を経た人体検出信号２ｂ及び音声信号６ａを親機に送信する場合と、親機Ａからの音声信号１１ａを受信する場合とで送受信信号を分岐させる回路である。
子機Ｂから親機Ａへの送信は、第１送信回路７から出力される信号が、信号分岐回路８によってアンテナ１１に送られ、親機Ａに送信される。また、子機Ｂの受信の場合は、親機Ａから送信された信号をアンテナ１１で受信し、入力されたこの音声信号１１ａを信号分岐回路８は、その次段にある第１受信回路１２に出力する。第１受信回路１２は、音声信号１１ａに対して同調・検波・復調・増幅を行ない第１スピ−カ４を駆動する。
【００１９】
図１の下部は、本実施形態の音声警告装置の親機Ａのブロック図である。親機Ａの全体構成は、後述する送信系と、子機Ｂからの情報を受ける受信系との２つに分かれ、子機Ｂとの送受信用のアンテナ２０と、送信信号・受信信号を分岐させる信号分岐回路２１とを送信系・受信系の各々に共用した構成となっている。
【００２０】
送信系は、親機Ａから子機Ｂに音声を送るためのもので、マイク２２と第２送信回路２３とから成っている。マイク２２は、親機Ａ側の人間の声を拾ってこれを音声信号２２ａとして第２送信回路２３に出力する。送信回路２３は、入力された音声信号を増幅・変調して信号分岐回路２１を介してアンテナ２０により子機Ｂに送信する。
【００２１】
受信系は、子機Ｂのマイク６によって集められた音（または人間の声）を親機Ａ側の第２スピ−カ２６で聞き、また、子機Ｂの人体検出部１で検出された人体検出信号１ａを後述する親機Ａ側のランプ２８やブザ−２９で確認するためのものである。
【００２２】
アンテナ２０によって受信された人体検出信号２ｂまたは音声信号６ａは、信号分岐回路２１によって第２受信回路２４に出力され、第２受信回路２４は、この人体検出信号２ｂまたは音声信号６ａについて同調・検波・復調・増幅を行なって第２信号処理部２５に出力する。第２信号処理部２５は、入力信号が人体検出信号２ｂであるか音声信号６ａであるかを判別し、音声信号６ａであるならスピ−カ２６に出力してその音声を聞くことができるように構成し、人体検出信号２ｂであれば、この信号は発報回路２７を経て、ランプ２８を点灯させると同時にブザ−２９を鳴動させる。
【００２３】
上記のように構成された本実施形態の音声警告装置の子機Ｂについては、各部がすべて三角ポールに内蔵され、一体化される。なお、子機Ｂの構成部品を三角ポールに内蔵せず、適当なケースに入れて、工事標識柱や工事柵、金網等に取り付けても良い。親機Ａは、子機Ｂの置かれた現場から離れた事務所等に置かれて子機Ｂから得られる情報（人の接近、異常音等）をモニタ−することによって現場の安全確認と状況の把握をおこない、必要に応じて子機Ｂとの間で通話を行う。
【００２４】
子機Ｂの電源としては、ＡＣ電源、バッテリ、乾電池、ボタン電池等が用いられる。また、第１スピーカ４の種類は単一指向性、無指向性を問わない。
さらに、機械的振動を電気信号に（またはその逆に）変換できる電気音響変換素子を用いて、子機Ｂの第１スピーカ４とマイク６とを１部品で、また親機Ａの第２スピーカ２６とマイク２２とを１部品で構成することも可能である。
【００２５】
次に、図２は他の実施形態を示すブロック図である。この実施形態では、親機Ａ側に音声メッセージ出力部２１１及びメッセージ選択部２１２が設置されている。
【００２６】
すなわち子機Ｂ側では、第１信号処理部２の出力側がスイッチ９を介して第１送信回路７に接続され、また、第１スピーカ４には第１受信回路１２のみが接続されている。一方、親機Ａ側では、第２送信回路２３の入力側に、音声メッセージ出力部２１１とメッセージ選択部２１２との直列回路が接続されている。
【００２７】
上記構成により、子機Ｂ側で人体を検出した際に、親機Ａ側で選択したメッセージを音声メッセージ出力部２１１から第２送信回路２３、信号分岐回路２１、アンテナ２０を介して子機Ｂ側へ送信し、子機Ｂでは、アンテナ１１、信号分分岐回路８、第１受信回路１２を介して第１スピーカ４から出力させることができる。
この実施形態によれば、子機Ｂを一層小型軽量化することが可能である。
【００２８】
上記音声警告装置においては、三角ポールを任意の方向に向けて人体検出部１及び第１スピーカ４の指向性を変えれば、設置場所の制約が少なくなる。また、人体検出部１及び第１スピーカ４をそれぞれ複数設置して、多方向の通行人に対し音声メッセージを出力させても良い。
更に、子機Ｂはその全体が防水（絶縁）、防塵構造となっており、軽量で簡単に移動、設置可能である。また、構成部品をすべて三角ポールに内蔵することにより、突起物もなく運搬や保管に便利であって、外観上も違和感のない音声警告装置を実現することができる。
【００２９】
【発明の効果】
以上のように本発明によれば、時間や季節、天候、設置場所等を問わず、通行人が一定範囲内に接近してくると人体検出部がこれを自動的に検出し、通行人に対する警告や注意を音声メッセージとして伝達することができ、人件費を抑制しつつ警告等を周知徹底させることができる。これにより、通行人の安全や便宜を確保しながら工事を円滑に遂行させることが可能になる。
また、装置の構成も比較的簡易であり、安価に提供することができる。
【００３０】
更に、子機Ｂのすべての部品を三角ポール内に収納すれば外部に突起物のない構造とすることができるから、運搬や保管に便利である。加えて、一般の三角ポールと一緒に配置しても何ら違和感がなく、しかも意外性に富んだ音声警告装置を提供することができる。
【００３１】
音声等の送受信を親機Ａと子機Ｂとの間で行なうことができるため、子機Ｂが設置された事務所内の作業員との双方向の会話が可能である。また、子機Ｂを観光施設や遊技施設、各種のイベント会場等に設置し、各所や道順の案内、待ち時間や混雑状況等の情報伝達に使用しても良い。
このように、音声警告機能と通信機能とを兼ね備えることにより、別個に通信装置を設置する必要がなくなり、資源やスペースの有効利用を図ることができる。更に、一台の親機Ａで複数台の子機Ｂを管理できるので、安全確認のための人員を減らすことができ、一人で複数の子機Ｂを管理することは勿論のこと、一人である程度の数の親機Ａを管理することもできる。
【図面の簡単な説明】
【図１】本発明の一実施形態の音声警告装置のブロック図である。
【図２】本発明の他の実施形態を示すブロック図である。
【符号の説明】
１  人体検出部
１ａ、２ａ、２ｂ  人体検出信号
２  第１信号処理部
３、２１１  音声メッセージ出力部
４  第１スピーカ
５、２１２  メッセージ選択部
６、２２  マイク
６ａ、１１ａ、２２ａ  音声信号
７  第１送信回路
８、２１  信号分岐回路
９、１０  スイッチ
１１、２０  アンテナ
１２  第１受信回路
２３  第２送信回路
２４  第２受信回路
２５  第２信号処理部
２６  第２スピーカ
２７  発報回路
２８  ランプ
２９  ブザー
Ａ  親機
Ｂ  子機
【図１】
0003625227.tif 000002
【図２】
0003625227.tif 000003